(57)【要約】【課題】複数の画像表示装置に画像情報を供給する画像供給装置の負担を低減することができる表示システム及び画像表示装置を提供すること。【解決手段】画像情報を供給する画像供給装置（ＰＣ）２と、画像情報に応じた画像を表示する複数の画像表示装置（プロジェクター）３（３Ａ〜３Ｃ）とを備えた表示システム１であって、複数の画像表示装置３のうちの１つの画像表示装置３Ａは、画像供給装置２と接続され、他の画像表示装置３Ｂ，３Ｃは、所定の接続形式により、画像表示装置３Ａに数珠繋ぎに接続され、各画像表示装置３は、画像情報を受信する受信手段（ＵＳＢモジュール）３１と、受信された画像情報に応じた画像を表示する表示手段３４と、受信された画像情報を、当該画像表示装置３Ａに接続された下流側の画像表示装置３Ｂに送信する送信手段（ＵＳＢモジュール）３５と、を備える。【選択図】図２
2010164626.tif 000002
【特許請求の範囲】
【請求項１】
画像情報を供給する画像供給装置と、前記画像情報に応じた画像を表示する複数の画像表示装置とを備えた表示システムであって、
前記複数の画像表示装置のうちの１つの画像表示装置は、前記画像供給装置と接続され、他の画像表示装置は、所定の接続形式により、前記１つの画像表示装置に数珠繋ぎに接続され、
前記各画像表示装置は、
前記画像情報を受信する受信手段と、
受信された前記画像情報に応じた画像を表示する表示手段と、
受信された前記画像情報を、当該画像表示装置に接続された下流側の前記画像表示装置に送信する送信手段と、
を備えることを特徴とする表示システム。
【請求項２】
請求項１に記載の表示システムにおいて、
前記画像供給装置と前記１つの画像表示装置とは、前記所定の接続形式により接続されることを特徴とする表示システム。
【請求項３】
請求項１又は請求項２に記載の表示システムにおいて、
前記接続形式は、ＵＳＢ規格に準拠した接続形式であることを特徴とする表示システム。
【請求項４】
画像を表示する画像表示装置であって、
接続された画像供給装置から供給される画像情報を受信する受信手段と、
受信された前記画像情報に応じた画像を表示する表示手段と、
受信された前記画像情報を、所定の接続形式により接続された他の画像表示装置に送信する送信手段と、
を備えることを特徴とする画像表示装置。
【発明の詳細な説明】
【技術分野】
【０００１】
本発明は、画像供給装置と画像表示装置とを備える表示システム、及び、当該表示システムに用いられる画像表示装置に関する。
【背景技術】
【０００２】
従来、画像情報を供給する画像供給装置と、当該画像情報に応じた画像を表示する画像表示装置とを備えた表示システムが知られている。このような画像供給装置としては、ＰＣ（Personal Computer）や、ＤＶＤ（Digital Versatile Disk）等のディスク型記録媒体を再生可能なプレイヤーを挙げることができ、また、画像表示装置としては、液晶、プラズマ、有機ＥＬ（ＯＥＬ：Organic Electro-Luminescence）及びＣＲＴ（Cathode Ray Tube）等の各種ディスプレイや、プロジェクター等を挙げることができる。
【０００３】
このような表示システムとして、画像供給装置としてのＰＣと、画像表示装置としてのプロジェクターとをＬＡＮ（Local Area Network）等のネットワーク接続により接続した表示システムが知られている（例えば、特許文献１参照）。また、ＰＣとプロジェクターとをＵＳＢ（Universal Serial Bus）により接続した表示システムが知られている（例えば、特許文献２参照）。
そして、特許文献１の表示システムでは、ネットワーク上に位置する複数の画像表示装置に、画像供給装置が同じ画像情報を出力することで、また、特許文献２に記載の表示システムでは、複数の画像表示装置を接続可能なＨＵＢを介して、画像供給装置が、各画像表示装置に同じ画像情報を出力することで、当該各画像表示装置にて同じ画像を表示することができる。
【０００４】
【特許文献１】特開２００３−１５８５８号公報
【特許文献２】特開２００４−６９９９６号公報
【発明の開示】
【発明が解決しようとする課題】
【０００５】
しかしながら、前述の特許文献１及び特許文献２に記載の表示システムでは、画像供給装置が、各画像表示装置に同じ画像情報をそれぞれ個別に送信する必要があり、画像供給装置に負担がかかるという問題がある。
【０００６】
本発明の目的は、複数の画像表示装置に画像情報を供給する画像供給装置の負担を低減することができる表示システム及び画像表示装置を提供することである。
【課題を解決するための手段】
【０００７】
前記した目的を達成するために、本発明の表示システムは、画像情報を供給する画像供給装置と、前記画像情報に応じた画像を表示する複数の画像表示装置とを備えた表示システムであって、前記複数の画像表示装置のうちの１つの画像表示装置は、前記画像供給装置と接続され、他の画像表示装置は、所定の接続形式により、前記１つの画像表示装置に数珠繋ぎに接続され、前記各画像表示装置は、前記画像情報を受信する受信手段と、受信された前記画像情報に応じた画像を表示する表示手段と、受信された前記画像情報を、当該画像表示装置に接続された下流側の前記画像表示装置に送信する送信手段と、を備えることを特徴とする。
【０００８】
このような画像情報として、画像データが含まれるパケットを挙げることができる。また、所定の接続形式として、当該パケットを送受信可能な接続形式を挙げることができ、例えば、ＬＡＮ等のネットワーク接続、並びに、ＵＳＢ接続等を挙げることができる。
本発明によれば、各画像表示装置は、画像供給装置に対して数珠繋ぎに接続され、当該各画像表示装置は、画像供給装置から受信された画像情報を、当該画像表示装置に接続された下流側の画像表示装置に順次送信する。これによれば、画像供給装置は、当該画像供給装置に接続された１台の画像表示装置に画像情報を出力するだけで、当該画像情報が、各画像表示装置に送信されることとなる。このため、画像供給装置が、各画像表示装置にそれぞれ個別に画像情報を送信する場合に比べて、当該画像供給装置の処理を簡略化することができる。
【０００９】
また、各画像表示装置が同じ接続形式で接続されるので、画像供給装置に接続された画像表示装置から画像情報を受信した他の画像表示装置は、当該画像情報を下流側の画像表示装置に更に送信する際に、画像情報の形式及び構成を大きく変えることなく送信することができる。これによれば、当該画像表示装置による画像情報の送信処理を簡略化することができる。従って、表示システム全体の負担を軽減することができる。
【００１０】
本発明では、前記画像供給装置と前記１つの画像表示装置とは、前記所定の接続形式により接続されることが好ましい。
本発明によれば、表示システムを構成する画像供給装置及び各画像表示装置は、それぞれ同じ接続形式で接続されるので、画像供給装置を起点として各画像表示装置に順次送信される画像情報のサイズ、形式及び構成等を、送信経路上で大きく変える必要がない。すなわち、例えば、画像情報がパケットとして送受信される場合には、画像表示装置は、受信したパケットを再構築して画像データを生成し、当該画像データを再分割してパケットを生成することなどせずに、下流側の画像表示装置に、受信されたパケットを大きく変えることなく送信することができる。従って、画像供給装置から画像情報を直接受信する画像表示装置の処理を簡略化することができ、当該画像表示装置の負担を軽減することができる。
【００１１】
本発明では、前記接続形式は、ＵＳＢ規格に準拠した接続形式であることが好ましい。
ここで、ＵＳＢ規格に準拠した接続形式（ＵＳＢ接続）は、有線及び無線のどちらでもよい。
本発明によれば、各画像表示装置の接続設定を簡易に行うことができる。
ここで、例えば、各画像表示装置をＬＡＮ等のネットワーク接続で互いに接続する場合には、ＩＰ（Internet Protocol）アドレス等の接続情報を当該各画像表示装置に予め設定しておく必要がある。また、上流側に位置する画像表示装置に、画像情報を送信する対象である下流側の画像表示装置の接続情報を予め保持させておく必要がある。このため、各画像表示装置の接続設定が煩雑となる。
【００１２】
これに対し、本発明によれば、各画像表示装置を互いにＵＳＢ接続にて接続することにより、当該各画像表示装置の通信接続が自動的に確立されることとなるので、各画像表示装置の接続設定を簡易に行うことができる。なお、画像供給装置と画像表示装置とが同じ接続形式にて接続されている前述の場合、すなわち、画像供給装置と画像表示装置とがＵＳＢ接続により接続される場合には、表示システム全体がＵＳＢ接続により接続されることとなるので、各装置の接続設定を一層簡略化することができる。
【００１３】
また、本発明の画像表示装置は、画像を表示する画像表示装置であって、接続された画像供給装置から供給される画像情報を受信する受信手段と、受信された前記画像情報に応じた画像を表示する表示手段と、受信された前記画像情報を、所定の接続形式により接続された他の画像表示装置に送信する送信手段と、を備えることを特徴とする。
本発明によれば、画像供給装置と組み合わせることにより、前述の表示システムと同様の効果を奏することができる。
すなわち、画像表示装置は、受信した画像情報を、所定の接続形式により接続された他の画像表示装置に送信するので、画像供給装置は、１台の画像表示装置に画像情報を送信すれば、表示システムを構成する各画像表示装置に画像情報を送信することができる。従って、画像供給装置の負担を軽減することができる。
【発明を実施するための最良の形態】
【００１４】
〔表示システムの全体構成〕
以下、本発明の一実施形態を図面に基づいて説明する。
図１は、本実施形態に係る表示システム１の構成を示す模式図である。
本実施形態に係る表示システム１は、図１に示すように、画像供給装置としての１台のＰＣ（Personal Computer）２と、当該ＰＣ２に数珠繋ぎに接続される複数の画像表示装置としてのプロジェクター３（３Ａ〜３Ｃ）とを備える。このうち、ＰＣ２とプロジェクター３Ａとは、ＵＳＢ規格に準拠した接続形式（ＵＳＢ接続）により接続され、また、各プロジェクター３Ａ〜３Ｃも同様に、互いにＵＳＢ接続されている。
なお、本実施形態では、表示システム１は、３台のプロジェクター３Ａ〜３Ｃを備えているが、当該プロジェクター３の接続数は、適宜設定可能である。
【００１５】
〔ＰＣの構成〕
図２は、ＰＣ２及びプロジェクター３Ａの内部構成を示すブロック図である。
ＰＣ２は、図２に示すように、入力手段２１と、制御手段２２と、表示手段２３と、ＵＳＢモジュール２４とを備え、これらのうち、入力手段２１、制御手段２２及びＵＳＢモジュール２４は、互いにバスＢ１を介して接続されている。
入力手段２１は、キーボード及びポインティングデバイス等により構成され、使用者による入力操作に応じた操作信号を、制御手段２２に送信する。
表示手段２３は、制御手段２２から出力される駆動信号に応じた画像を表示する。このような表示手段２３は、液晶、プラズマ、有機ＥＬ及びＣＲＴ等の各種ディスプレイにより構成することができる。
【００１６】
ＵＳＢモジュール２４は、ＵＳＢケーブルが接続されるインターフェースと、当該ＵＳＢケーブルを介して接続された外部機器（本実施形態では、プロジェクター３Ａ）との通信接続を確立するモジュールとにより構成されている。このＵＳＢモジュール２４は、制御手段２２から出力される画像情報としてのパケットを、通信接続が確立された外部機器（プロジェクター３Ａ）に送信する。なお、このようなインターフェースは、「ＵＳＢ  Ａ端子」により構成することができる。
【００１７】
制御手段２２は、演算処理回路等が実装された回路基板により構成され、ＰＣ２全体を制御する。この制御手段２２は、記憶部２２１、ＶＲＡＭ（Video Random Access Memory）２２２、画像生成部２２３及び制御部２２４を備えている。
記憶部２２１は、ＲＯＭ（Read Only Memory）、ＲＡＭ及びＨＤＤ（Hard Disk Drive）等の記憶媒体により構成されている。この記憶部２２１は、制御手段２２での動作に必要な各種プログラム及びデータを記憶しているほか、制御部２２４による処理で用いられる作業領域を構成する。このようなプログラムとして、ＵＳＢモジュール２４を介して接続された外部機器（本実施形態ではプロジェクター３Ａ）に前述のパケットを送信する画像送信プログラムが挙げられる。
【００１８】
ＶＲＡＭ２２２は、表示手段２３にて表示される少なくとも１画面分の画像データを記憶可能に構成されている。このＶＲＡＭ２２２上で、画像生成部２２３による画像の生成処理が行われる。
画像生成部２２３は、ＶＤＰ（Video Display Processor）、ＧＰＵ（Graphics Processing Unit）或いは統合型チップセットにより構成され、ＰＣ２の動作状態を示す画像をＶＲＡＭ２２２上に描画する。そして、画像生成部２２３は、当該画像に応じた駆動信号を表示手段２３に出力することにより、当該表示手段２３がＰＣ２の動作状態を示す画像を表示する。
【００１９】
制御部２２４は、ＣＰＵ（Central Processing Unit）及びチップセット等の演算処理回路により構成され、制御手段２２ひいてはＰＣ２全体の動作を制御する。この制御部２２４は、入力手段２１から入力される操作信号に応じた処理を実行するほか、ＰＣ２を自律的に制御する。このような制御部２２４は、例えば、所定の操作信号に応じて、記憶部２２１から前述の画像送信プログラムを読み取り、当該画像送信プログラムに沿って、ＶＲＡＭ２２２上に生成された画像からパケットを生成し、当該パケットをＵＳＢモジュール２４に接続された外部機器に送信する。なお、ＰＣ２とプロジェクター３Ａとの帯域が狭い場合（通信速度が低い場合）には、制御部２２４は、当該画像を所定の形式（例えば、ＪＰＥＧ（Joint Photographic Experts Group）形式）で圧縮した画像を生成し、当該圧縮した画像を含むパケットを生成する。
【００２０】
〔プロジェクターの構成〕
プロジェクター３Ａ〜３Ｃのうち、プロジェクター３Ａは、ＰＣ２から受信されるパケットに含まれる画像を、スクリーン等の投射面上に投射する。また、プロジェクター３Ｂ，３Ｃは、それぞれＰＣ２に近い側（上流側。換言すると、ＰＣ２からの接続順位が上位である側）のプロジェクター（プロジェクター３Ｂに対するプロジェクター３Ａであり、プロジェクター３Ｃに対するプロジェクター３Ｂ）から受信されるパケットに含まれる画像を投射する。
このうち、プロジェクター３Ａは、図２に示すように、受信手段としてのＵＳＢモジュール３１、入力手段３２、制御手段３３、表示手段３４及び送信手段としてのＵＳＢモジュール３５を備えている。そして、これらＵＳＢモジュール３１，３５、入力手段３２及び制御手段３３は、バスＢ２を介して接続されている。なお、プロジェクター３Ｂ，３Ｃは、プロジェクター３Ａと同様の構成であるので、説明を省略する。
【００２１】
このうち、ＵＳＢモジュール３１は、「ＵＳＢ  Ｂ端子」により構成されるインターフェースと、当該インターフェースを介して接続された外部機器（例えば、ＰＣ２）との通信接続を確立するモジュールとにより構成されている。そして、当該ＵＳＢモジュール３１は、ＰＣ２から受信されたパケットを、制御手段３３に出力する。
また、ＵＳＢモジュール３５は、「ＵＳＢ  Ａ端子」により構成されたインターフェースと、当該インターフェースを介して接続された外部機器（例えば、プロジェクター３Ｂ）との通信接続を確立するモジュールとにより構成されている。そして、当該ＵＳＢモジュール３５は、制御手段３３から出力されるパケットを、当該外部機器に送信する。
【００２２】
入力手段３２は、例えば、ＤＶＩ（Digital Visual Interface）端子及びＤ−Ｓｕｂ（D-Subminiature）端子等の映像入力端子と、当該映像入力端子を介して入力された画像信号をデジタル変換して制御手段３３に出力するモジュールとにより構成されている。
【００２３】
表示手段３４は、制御手段３３から入力される駆動信号に応じた画像光を形成し、当該画像光を投射面上に拡大投射する。この表示手段３４は、詳しい図示を省略するが、光源装置、光変調装置及び投射光学装置を備えている。
このうち、光源装置は、光源ランプ及び反射鏡、或いは、ＬＥＤ等の固体光源を備え、光変調装置に光束を照射する。
【００２４】
光変調装置は、光源装置から射出された光束を変調して画像光を形成する液晶パネルと、入力される駆動信号に応じて液晶パネルを駆動するドライバーとを備えて構成されている。なお、光変調装置は、液晶パネルを備える構成に限定されるものではなく、例えば、マイクロミラーを用いたデバイス等、液晶以外の構成を採用してもよい。
投射光学装置は、形成された画像光を投射面上に拡大投射するものであり、鏡筒と、当該鏡筒内に収納される複数のレンズとを備えた組レンズとして構成されている。
【００２５】
制御手段３３は、演算処理回路等が実装された回路基板として構成され、プロジェクター３Ａ全体を制御する。この制御手段３３は、記憶部３３１、制御部３３２、ＶＲＡＭ３３３及び画像処理部３３４を備えている。
記憶部３３１は、制御手段３３の処理に必要な各種プログラム及びデータを記憶しているほか、ＵＳＢモジュール３１により受信されたパケットを記憶する。また、記憶部３３１は、当該パケットから再構築された画像を記憶する。このようなプログラムとして、記憶部３３１は、受信されたパケットを、ＵＳＢモジュール３５に接続された外部機器に送信する画像送信プログラムを記憶している。
また、ＶＲＡＭ３３３は、画像処理部３３４の作業領域であり、光変調装置により形成される１画面分の画像を少なくとも記憶可能に構成されている。
【００２６】
図３は、制御部３３２の構成を示すブロック図である。
制御部３３２は、ＣＰＵにより構成され、制御手段３３、ひいては、プロジェクター３Ａ全体を制御する。このほか、制御部３３２は、記憶部３３１に記憶された画像送信プログラムを読み出して、表示システム１において上流側に位置するＰＣ２から受信されたパケットを、下流側に位置する外部機器（プロジェクター３Ｂ）に送信する画像送信処理を実行する。このため、制御部３３２は、図３に示すように、パケット取得部３３２１、接続判定部３３２２、パケット送信部３３２３及びパケット解析部３３２４を備えている。
【００２７】
パケット取得部３３２１は、ＵＳＢモジュール３１により受信されたパケットを取得し、当該パケットを記憶部３３１に記憶させる。この際、プロジェクター３Ａは、ホストであるＰＣ２のスレーブとなる。
接続判定部３３２２は、ＵＳＢモジュール３５を介して外部機器との接続が確立されているか否かを判定する。
パケット送信部３３２３は、接続判定部３３２２により、外部機器（プロジェクター３Ｂ）との接続が確立されていると判定された場合に、受信されたパケットを、ＵＳＢモジュール３５を介して、当該外部機器に送信する。この際、パケット送信部３３２３は、必要に応じて、受信されたパケットのヘッダ情報の一部を、当該外部機器との接続情報に応じて更新する。また、このパケット送信の際には、プロジェクター３Ａは、スレーブとなる外部機器に対するホストに切り替わる。
パケット解析部３３２４は、受信されたパケットから画像のデータを再構築し、当該データを記憶部３３１に記憶させる。
【００２８】
図２に戻り、画像処理部３３４は、パケット解析部３３２４により再構築され、かつ、記憶部３３１に記憶されたデータに基づいて、ＶＲＡＭ３３３上に画像を描画する。また、画像処理部３３４は、画像情報の入力ソースを入力手段３２に切り替える操作が使用者により行われている場合には、当該入力手段３２から入力される画像信号に基づく画像を、ＶＲＡＭ３３３上に描画する。そして、画像処理部３３４は、描画した画像に応じた駆動信号を、表示手段３４に出力する。これにより、表示手段３４は、受信されたパケットに含まれる画像、又は、入力された画像信号に応じた画像を表示する。
【００２９】
〔画像送信処理〕
図４は、ＰＣ２及びプロジェクター３Ａによる処理を示すフローチャートである。
ＰＣ２は、記憶部２２１に記憶された画像送信プログラムに沿って、接続された外部機器（本実施形態では、プロジェクター３Ａ）に、画像を含むパケットを送信する画像送信処理を実行する。また、プロジェクター３（３Ａ〜３Ｃ）は、記憶部３３１に記憶された画像送信プログラムに沿って、下流側に接続された外部機器（本実施形態では、プロジェクター）に、上流側の外部機器から受信されたパケットを送信する画像送信処理を実行する。
【００３０】
具体的に、図４に示すように、ＰＣ２では、画像生成部２２３がＶＲＡＭ２２２上に画像を描画する（ステップＳ１１）。この際、画像生成部２２３は、描画した画像に応じた駆動信号を表示手段２３に出力する。これにより、表示手段２３では、当該駆動信号に応じた画像、すなわち、描画された画像が表示される。
次に、使用者により、接続された外部機器に画像を送信する入力操作が行われている場合には、制御部２２４が、記憶部２２１から画像送信プログラムを読み込み、ＶＲＡＭ２２２上に描画されている画像を含むパケットを生成する（ステップＳ１２）。
この後、制御部２２４は、生成したパケットを、ＵＳＢモジュール２４を介して、外部機器に送信する（ステップＳ１３）。
このようなステップＳ１１〜Ｓ１３により構成される画像送信処理は、当該処理を中断する操作が行われるまで、繰り返し実行される。
【００３１】
プロジェクター３Ａでは、まず、パケット取得部３３２１が、ＵＳＢモジュール３１により受信されたパケットを取得する（ステップＳ２１）。
この後、接続判定部３３２２が、下流側に外部機器（本実施形態では、プロジェクター３Ｂ）が接続されているか否か、すなわち、ＵＳＢモジュール３５を介して外部機器（プロジェクター３Ｂ）との接続が確立しているか否かを判定する（ステップＳ２２）。
ここで、外部機器が接続されていないなどして、当該外部機器との接続が確立されていないと判定されると、制御部３３２は、処理をステップＳ２４に移行する。
一方、外部機器との接続が確立されていると判定されると、パケット送信部３３２３は、受信したパケットを、ＵＳＢモジュール３５を介して外部機器に送信する（ステップＳ２３）。この後、制御部３３２は、処理をステップＳ２４に移行する。
【００３２】
ステップＳ２４では、制御手段３３及び表示手段３４が、画像表示処理を行う（ステップＳ２４）。具体的に、パケット解析部３３２４が、受信したパケットから画像を再構築し、当該画像を記憶部３３１に記憶させる。そして、画像処理部３３４が、当該画像をＶＲＡＭ３３３上に描画し、描画された画像に基づく駆動信号を表示手段３４に出力する。これにより、表示手段３４が、当該駆動信号に応じた画像光を形成及び投射することで、受信されたパケットに含まれる画像が、投射面上に表示される。
【００３３】
以上説明したステップＳ２１〜Ｓ２４により構成される画像送信処理は、ＰＣ２からパケットが受信される間、又は、当該処理を中断する操作が行われない間、繰り返し実行される。
なお、プロジェクター３Ｂ，３Ｃでは、当該プロジェクター３Ａと同様の画像送信処理を実行することにより、受信されたパケットに含まれる画像の表示、及び、ＵＳＢモジュール３５に接続された下流側の外部機器への当該パケットの送信が、繰り返し行われる。
従って、本実施形態に係る表示システム１では、各プロジェクター３Ａ〜３Ｃのそれぞれで、同じ画像が表示される。
【００３４】
以上説明した本実施形態に係る表示システム１によれば、以下の効果がある。
ＰＣ２には、プロジェクター３Ａ〜３Ｃが数珠繋ぎで接続され、当該ＰＣ２から送信された画像を含むパケットは、プロジェクター３Ａにより受信された後、プロジェクター３Ｂを経て、プロジェクター３Ｃに送信される。これによれば、ＰＣ２は、１台のプロジェクター３Ａにパケットを送信すれば、当該パケットは各プロジェクター３Ａ〜３Ｃに送信されることとなる。従って、ＰＣ２が各プロジェクター３Ａ〜３Ｃにそれぞれ個別にパケットを送信する場合に比べ、当該ＰＣ２の負担を軽減することができる。
【００３５】
また、各プロジェクター３Ａ〜３Ｃは、互いにＵＳＢ接続により接続されているので、プロジェクター３Ｂは、上流側に位置するプロジェクター３Ａから受信したパケットを、下流側に位置するプロジェクター３Ｃに送信する際に、当該パケットのサイズ、形式及び構成を大きく変更する必要がない。
従って、表示システム１を構成するＰＣ２及びプロジェクター３Ｂの負担を軽減することができる。
【００３６】
また、ＰＣ２とプロジェクター３Ａとは、各プロジェクター３Ａ〜３Ｃと同じＵＳＢ接続にて接続されるので、プロジェクター３Ａ〜３Ｃは、前述のように、ＰＣ２から受信されたパケットのサイズ、形式及び構成を大きく変えることなく、受信されたパケットを下流側のプロジェクターに送信することができる。これによれば、ＰＣ２とプロジェクター３Ａとが、各プロジェクター３Ａ〜３Ｃとは異なる接続形式により接続されている場合に比べ、プロジェクター３Ａでの画像送信処理を簡略化することができる。従って、ＰＣ２に接続されたプロジェクター３Ａの負担を一層軽減することができる。
【００３７】
また、ＰＣ２と、プロジェクター３Ａ〜３Ｃとは、それぞれＵＳＢ接続により接続されている。これによれば、ネットワーク接続のように、ＩＰアドレス等の接続情報を各装置に予め設定しておく必要がないほか、当該各装置をＵＳＢケーブルにより互いに接続するだけで、接続確立処理が実行されるので、これら各装置の通信接続の確立を簡易に行うことができる。従って、ＰＣ２及びプロジェクター３Ａ〜３Ｃの接続設定を簡易に行うことができる。
【００３８】
〔実施形態の変形〕
本発明は前述の実施形態に限定されるものではなく、本発明の目的を達成できる範囲での変形、改良等は本発明に含まれるものである。
前記実施形態では、画像供給装置としてＰＣ２を挙げ、画像表示装置としてプロジェクター３（３Ａ〜３Ｃ）を挙げたが、本発明はこれに限らない。例えば、画像供給装置として、ＤＶＤ（Digital Versatile Disk）等の記録媒体の再生装置を挙げることができ、また、画像表示装置として、液晶、プラズマ、有機ＥＬ（ＯＥＬ：Organic Electro-Luminescence）及びＣＲＴ（Cathode Ray Tube）等の各種ディスプレイを挙げることができる。
【００３９】
前記実施形態では、ＰＣ２とプロジェクター３Ａとは、プロジェクター３Ａ〜３Ｃの接続形式と同じＵＳＢ接続により接続されるとしたが、本発明はこれに限らない。例えば、ＰＣ２とプロジェクター３Ａとがネットワーク接続等の他の接続形式により接続されていてもよい。この場合、当該ＰＣ２に接続されたプロジェクター３Ａが、受信されたパケットからプロジェクター３Ｂとの接続形式に応じたパケットを新たに生成し、当該パケットをプロジェクター３Ｂに送信するようにすればよい。
また、同様に、プロジェクター３Ａ〜３Ｃの接続形式は、ＵＳＢ接続としたが、本発明はこれに限らない。すなわち、受信した画像情報を大きく変更することなく、下流側の装置に送信することが可能であれば、他の形式であってもよい。
更に、ＰＣ２及びプロジェクター３Ａ〜３Ｃは、それぞれ互いにＵＳＢケーブルで接続されるとしたが、本発明はこれに限らず、無線で接続してもよい。
【００４０】
前記実施形態では、パケット取得部３３２１は、受信したパケットを記憶部３３１に記憶させるとしたが、本発明はこれに限らない。すなわち、受信したパケットに対してヘッダ情報の更新等を行う必要がなければ、パケット送信部３３２３が、当該パケットをそのまま送信するようにしてもよい。
【００４１】
前記実施形態では、プロジェクター３Ａは、ＵＳＢモジュール３１がパケットを受信し、当該パケットをパケット取得部３３２１が取得する際にはスレーブに切り替わり、また、パケット送信部３３２３がＵＳＢモジュール３５を介してパケットを送信する際にはホストに切り替わるとしたが、本発明はこれに限らない。すなわち、パケット取得部３３２１及びパケット送信部３３２３が、それぞれ独立して機能する場合には、このようなホスト及びスレーブの切替は行わなくてもよい。
【産業上の利用可能性】
【００４２】
本発明は、会議等に用いられる表示システムに好適に利用することができる。
【図面の簡単な説明】
【００４３】
【図１】本発明の一実施形態に係る表示システムを示す模式図。
【図２】前記実施形態におけるＰＣ及びプロジェクターの構成を示すブロック図。
【図３】前記実施形態における制御部の構成を示すブロック図。
【図４】前記実施形態におけるＰＣ及びプロジェクターにて実行される画像送信処理を示すフローチャート。
【符号の説明】
【００４４】
１…表示システム、２…ＰＣ（画像供給装置）、３（３Ａ〜３Ｃ）…プロジェクター（画像表示装置）、３１…ＵＳＢモジュール（受信手段）、３４…表示手段、３５…ＵＳＢモジュール（送信手段）。
【図１】
2010164626.tif 000003
【図２】
2010164626.tif 000004
【図３】
2010164626.tif 000005
【図４】
2010164626.tif 000006